(57)【要約】【課題】施工性に優れた水栓及びその施工方法を提供する。【解決手段】ステー２２と、ステー２２に保持される水栓本体１９と、ステー２２及び水栓本体１９に水を供給するための配管３，５を覆うためのカバー１５を備える。カバー１５は複数のカバー体１６〜１８で構成される。ステー２２、複数のカバー体１６〜１８のうちのステー２２に取り付けられたカバー体１６，１７、及びステー２２に取り付けられた水栓本体１９を有する水栓ユニット１３が構成される。水栓ユニット１３のステー２２に壁２に設けられた掛具４８に引掛け可能な壁掛部３３が形成される。水栓ユニット１３に壁２に固着される壁固着部５３が設けられる。カバー１５は、ステー２２に取り付けられるカバー体１６，１７とは別に、水栓ユニット１３に取付けられて壁固着部５３及び配管３，５を覆う他のカバー体１８を有している。【選択図】図１
2012072561.tif 000002
【特許請求の範囲】
【請求項１】
ステーと、このステーに保持される水栓本体と、前記ステー及び前記水栓本体に水を供給するための配管を覆うためのカバーを備え、このカバーは複数のカバー体で構成され、前記ステー、前記複数のカバー体のうちの前記ステーに取り付けられたカバー体、及び前記ステーに取り付けられた水栓本体を有する水栓ユニットが構成され、この水栓ユニットのステーに壁に設けられた掛具に引掛け可能な壁掛部が形成されると共に、前記水栓ユニットに壁に固着される壁固着部が設けられ、前記カバーは、前記ステーに取付けられるカバー体とは別に、前記水栓ユニットに取付けられて前記壁固着部及び前記配管を覆う他のカバー体を有していることを特徴とする水栓。
【請求項２】
前記水栓ユニットは前記水栓本体に前記配管を接続するための継手を有し、前記ステーは前記継手を介して前記水栓本体を保持するものであり、前記壁固着部が前記継手に形成されたことを特徴とする請求項１に記載の水栓。
【請求項３】
ステーを覆うカバー体及び水栓本体を前記ステーに取付けてなる水栓ユニットを、前記ステーに形成された壁掛部を壁に設けられた掛具に引掛けることで仮止めし、次に、前記水栓ユニットに設けられた壁固着部を前記壁に固着し、次に、前記水栓ユニットに水を供給するための配管を接続し、この後、前記水栓ユニットに前記壁固着部及び前記配管を覆う他のカバー体を取り付けることを特徴とする水栓の施工方法。
【発明の詳細な説明】
【技術分野】
【０００１】
本発明は壁に取付けられる水栓及び水栓の施工方法に関する。
【背景技術】
【０００２】
従来からねじで壁に取り付けられたステーで水栓本体を支持する水栓が特許文献１により知られている。なお、以下の括弧内の符号は特許文献１における符号である。
【０００３】
特許文献１の水栓は、ステー（９０）と水栓本体（２）に連通する配管（１９）を覆うカバー（１１）を有している。カバー（１１）は複数のカバー体（２０，４２，４８，４９，５０，７０）で構成されている。このうち、配管（１９）を覆う下側のカバー体（２０）はねじにより壁に取付けられる。また、ステー（９０）を覆う上側のカバー体のうち、背方のカバー体（４２）はステーに取付けられ、その他のカバー体（４２，４８，４９，５０、７０）はカバー体（４２）を介してステー（９０）に取付けられる。
【０００４】
ところで、前記従来の水栓は、水栓本体（２）及び上側のカバー体（４９，５０）をステー（９０）に取付けてユニットを構成することができ、このユニットはステー（９０）をねじにより壁に固着することで壁に取り付けることができる。このため、ステー（９０）を壁に取付けた後に、ステー（９０）に水栓本体（２）及びカバー体（４９，５０）を取付ける場合と比べて、壁等が邪魔にならず、施工が容易になる。また、予め配管（１９）を覆う下側のカバー体（２０）を壁に取付けておけば、ユニットを壁に固着する際にカバー体（４９，５０）をカバー体（２０）上に載せて位置決めすることもできる。
【先行技術文献】
【特許文献】
【０００５】
【特許文献１】特開２００８−１３８３９７号公報
【発明の概要】
【発明が解決しようとする課題】
【０００６】
しかし、前記従来の水栓では、ユニットの位置決めにあたって、仮にユニットの重量をカバー体（２０）で支持させると、強度の弱いカバー体（４９，５０）が変形する恐れがある。このため、ユニットをねじで壁に固着する際には、ユニットを手で支持しながらねじによりステー（９０）を壁に固着する必要があり、作業が煩雑になる恐れがある。また、ユニットを壁に取付けた後は、ステー（９０）のねじにより壁に取り付ける部分を隠すために上側のカバー体（４８，７０）を取り付ける必要があり、手間を要する。このように従来の水栓にあっては施工性に改善の余地がある。
【０００７】
本発明は上記事情に鑑みてなされたものであって、施工性に優れた水栓及びその施工方法を提供することを課題とする。
【課題を解決するための手段】
【０００８】
上記課題を解決するために本発明の水栓は、ステーと、このステーに保持される水栓本体と、前記ステー及び前記水栓本体に水を供給するための配管を覆うためのカバーを備え、このカバーは複数のカバー体で構成され、前記ステー、前記複数のカバー体のうちの前記ステーに取り付けられたカバー体、及び前記ステーに取り付けられた水栓本体を有する水栓ユニットが構成され、この水栓ユニットのステーに壁に設けられた掛具に引掛け可能な壁掛部が形成されると共に、前記水栓ユニットに壁に固着される壁固着部が設けられ、前記カバーは、前記ステーに取付けられるカバー体とは別に、前記水栓ユニットに取付けられて前記壁固着部及び前記配管を覆う他のカバー体を有していることを特徴とする。
【０００９】
また、前記水栓ユニットは前記水栓本体に前記配管を接続するための継手を有し、前記ステーは前記継手を介して前記水栓本体を保持するものであり、前記壁固着部が前記継手に形成されることが好ましい。
【００１０】
また、本発明の水栓の施工方法は、ステーを覆うカバー体及び水栓本体を前記ステーに取付けてなる水栓ユニットを、前記ステーに形成された壁掛部を壁に設けられた掛具に引掛けることで仮止めし、次に、前記水栓ユニットに設けられた壁固着部を前記壁に固着し、次に、前記水栓ユニットに水を供給するための配管を接続し、この後、前記水栓ユニットに前記壁固着部及び前記配管を覆う他のカバー体を取り付けることを特徴とする。
【発明の効果】
【００１１】
本発明にあっては、水栓の施工性を向上できる。
【図面の簡単な説明】
【００１２】
【図１】本発明の実施形態の第三カバー体を取り付ける前の水栓の斜視図である。
【図２】水栓の斜視図である。
【図３】水栓の後側から見た斜視図である。
【図４】保持具により給水管及び給湯管を壁に仮止めする前の状態を示す斜視図である。
【図５】水栓本体に継手を接続する前の状態を示す斜視図である。
【図６】ステーに継手を取付ける前の状態を示す斜視図である。
【図７】水栓本体にシャワー用配管を接続する前の状態を示す斜視図である。
【図８】ステーにシャワー用配管を接続した状態を示す平面図である。
【図９】ステーに第一カバー体を取付ける前の状態を示す斜視図である。
【図１０】ステーに第一カバー体を取り付けた状態を示す斜視図である。
【図１１】第一カバー体及びステーに第二カバー体を取付ける前の状態を示す斜視図である。
【図１２】水栓ユニットを掛具に引っ掛けた状態を示す斜視図である。
【図１３】水栓ユニットを掛具に引っ掛ける前の状態を示す斜視図である。
【図１４】水栓ユニットを壁に固着する前の状態を示す斜視図である。
【図１５】カバーの上部を後側から見た斜視図である。
【発明を実施するための形態】
【００１３】
以下、本発明を添付図面に基づいて説明する。本実施形態の水栓１は浴室の壁２（図１等参照）に沿って設けられるカバー付きの湯水混合水栓である。なお、以下では、特に記載する場合を除いて、各構成部材について設置状態における方向を基準として説明する。すなわち、壁２と直交する方向を前後方向とすると共に水栓１から見て壁２側を後方として説明する。
【００１４】
図１４に示すように浴室には水栓１に水を供給するための配管として給水管３及び給湯管５が設けられる。給水管３及び給湯管５は屈曲自在なフレキシブル管からなり、壁２に前方に突出して設けられたカウンター６の内部に通された後、壁２に沿ってカウンター６の上方に引き出される。給水管３及び給湯管５は、後述の水栓ユニット１３及びカバー体１８の設置前において、壁２に取り付けられた保持具７により仮保持される。
【００１５】
保持具７は、帯状の金属板を折曲加工して形成される。保持具７の両側には給水管３及び給湯管５の夫々を保持する水平断面溝形の保持部８が形成されている。保持具７両側の壁２に固定される部分にはねじ１０を通すための左右に長い長孔１１（図４参照）が形成されている。
【００１６】
保持具７で前記カウンター６から引き出された給水管３及び給湯管５を仮保持するには、まず図４に示すように給水管３及び給湯管５の夫々の長手方向の一部に柔軟性のあるソフトテープ１２を巻き付ける。次に、給水管３及び給湯管５のソフトテープ１２で巻かれた部分を対応する保持部８内に上下に通し、保持具７の各長孔１１に通したねじ１０を壁２にねじ込む。なお、このねじ込みは本締めせず、仮締め状態としておく。
【００１７】
水栓１は、図１２に示す水栓ユニット１３と、前記保持具７と、図１等に示される合成樹脂製のカバー体１８で構成されている。
【００１８】
水栓ユニット１３はカウンター６の上方の壁２に取り付けられる。図１２のように、水栓ユニット１３は、水栓本体１９と、水栓本体１９に設けられる継手２０，２１及びシャワー用配管７１（図７参照）と、ステー２２と、ステー２２の左右両側を覆うカバー体１６と、ステー２２の上側を覆うカバー体１７（図１１参照）とで構成されている。
【００１９】
水栓本体１９は弁装置を内蔵したシリンダー（不図示）をハウジング２３内に組み込んだものである。図５のようにハウジング２３の後部は後方から見て長手方向を左右方向とした矩形状に形成されている。このハウジング２３の後部はカバー体１６とカバー体１７で上下に挟み込まれる挟込部２５となっている。
【００２０】
挟込部２５の後面両側には継手接続部７２，７３が設けられている。継手接続部７２，７３には継手２０，２１の夫々の下流端部が接続され、これら継手２０，２１により給水管３及び給湯管５の夫々はシリンダーに接続される。また、挟込部２５の後面中央部には配管接続部７５が設けられている。配管接続部７５にはシャワー用配管７１の上流端部が接続され、シャワー用配管７１の下流側にはシャワーヘッド（不図示）が設けられる。
【００２１】
給水管３及び給湯管５から継手２０，２１を介して低温の水及び高温の水の夫々が前記シリンダー内に供給され、これら低温の水及び高温の水はシリンダー内で所望の割合で混合されて所望温度の水が生成される。以下、給水管３からシリンダーに供給される低温の水を「水」、給湯管５からシリンダーに供給される高温の水を「湯」、これら「水」と「湯」をシリンダー内において所望割合で混合することで得られる水を「湯水」と記載する。
【００２２】
図１２のようにハウジング２３の前部中央部には湯水を吐出するための吐水口２６が下方に突出して設けられている。
【００２３】
ハウジング２３の前部の外側面には切替ハンドル２７が設けられている。切替ハンドル２７を操作することで、シリンダー内で生成された湯水を、吐水口２６側に供給して吐出するか、あるいはシャワー用配管側に供給してシャワーヘッドから吐出するかが切り替えられる。また、切替ハンドル２７を操作することで、前記吐水口２６やシャワーヘッドから吐出される湯水の量の調節も行えるようになっている。
【００２４】
ハウジング２３の前部の前記切替ハンドル２７と反対側の外側面には温度調節ハンドル２８が設けられている。温度調節ハンドル２８を操作することで、前記シリンダー内で混合される水と湯の割合を調節でき、これにより吐水口２６やシャワーヘッドから吐出される湯水の温度が調節される。
【００２５】
図６のように各継手２０，２１は側方から見てクランク状に屈曲したソケットからなる。クランク状にすることで各継手２０，２１の下部に形成された前後に延びる管部２９には、図示しない止水栓及びストレーナーが内装されている。
【００２６】
各継手２０，２１は下端部に下方に突出した接続口部３０を有している。両継手２０，２１の接続口部３０には給水管３の下流端部及び給湯管５の下流端部の夫々が接続される。
【００２７】
図１２のように各継手２０，２１の管部２９の前面には前記止水栓の操作部３１が設けられている。各操作部３１を操作することで、給水管３や給湯管５から水栓本体１９へ給水するか否かが切り替えられる。
【００２８】
各継手２０，２１の管部２９の前面は脱着可能なキャップ３２で構成され、このキャップ３２に前記ストレーナーが取り付けられている。継手２０，２１からキャップ３２を取り外すことで前記ストレーナーを継手２０，２１から取り出して掃除等が行えるようになっている。
【００２９】
水栓本体１９の後方に配置されるステー２２は壁２に取り付けられ、継手２０，２１を介して水栓本体１９を保持する。ステー２２はステンレス製の金属板からなり、図６に示すように、左右に長い板状の壁掛部３３と、壁掛部３３の両側から下方に向けて突出して継手２０，２１が固着される継手固着部３５を有している。各継手固着部３５にはねじ７６を通すための孔８０が形成されている。一方、各継手２０，２１の管部２９の後端部には上方に突出する被固着部７８が設けられ、各被固着部７８にはねじ孔７９が設けられている。各継手固着部３５に継手２０，２１を取り付けるには、、継手固着部３５の孔８０に後方から通したねじ７６を継手２０，２１のねじ孔７９にねじ込む。
【００３０】
ステー２２の一方の継手固着部３５の外側縁には前方に突出する配管支持部７７形成されている。配管支持部７７により水栓本体１９の配管接続部７５に接続されたシャワー用配管７１が支持される。
【００３１】
図１１に示す水栓ユニット１３のカバー体１６，１７は、カバー体１８と同様、合成樹脂成形品からなり、これらカバー体１６〜１８で水栓１全体のカバー１５が構成されている。以下カバー体１６〜１８の夫々を、第一カバー体１６、第二カバー体１７、第三カバー体１８と記載する。
【００３２】
第一カバー体１６は、図１２に示すようにステー２２の両側に配置される側板部３６を連結部３７で一体に連結したものであり、ステー２２に取り付けられる。
【００３３】
各側板部３６はカバー１５の上端部の側面を構成する。連結部３７は両側板部３６の下縁の前端部同士を接続する横板状に形成されている。各側板部３６の下縁には内側方に突出する下縁部３８が形成されている。両下縁部３８の前端は連結部３７の後縁の両側端部に接続され、両下縁部３８の間には開口３９が形成されている。
【００３４】
図１５に示すように第一カバー体１６の各側板部３６の内面における後端部の上部には内側方に突出する被嵌込部４０が形成されている。これに対して、図３に示すようにステー２２の壁掛部３３の両側端部には嵌込部４１が形成されている。
【００３５】
第一カバー体１６をステー２２に取付けるには、第一カバー体１６の両側板部３６の被嵌込部４０をステー２２の対応する嵌込部４１に嵌め込む。これにより各被嵌込部４０は、上下方向及び前後方向の移動が規制される。また、このように第一カバー体１６の各被嵌込部４０をステー２２の嵌込部４１に嵌め込んだ状態では、ステー２２の嵌込部４１が第一カバー体１６の側板部３６の内面に当接する。従って、ステー２２の嵌込部４１により、第一カバー体１６の両側板部３６の内側方への移動が規制される。
【００３６】
このようにステー２２に取り付けられた第一カバー体１６は、図１２に示すように連結部３７の前縁部が水栓本体１９の挟込部２５の下面後縁部に当接して重ねられる。また、第一カバー体１６の両側板部３６の前縁部が水栓本体１９の挟込部２５の両側面後端部に重ね合わされる。また、前記ステー２２に取付けられた継手２０，２１は、その下部が第一カバー体１６の開口３９を介して下方に突出する。
【００３７】
図１０に示すように第一カバー体１６の一方の側板部３６（図示例では向かって左側の側板部３６）には、シャワー用配管７１の下流側を水栓ユニット１３から引き出すための孔４２が形成されている。
【００３８】
図１１に示す第二カバー体１７は第一カバー体１６及びステー２２に取り付けられる。第二カバー体１７はカバー１５の上端面を構成し、第一カバー体１６の両側板部３６の間に形成された空間の上方を覆う。
【００３９】
図１５のように第二カバー体１７の下面両側の前後２箇所には、下方に突出する側面視Ｌ字状の被掛合部４３が形成されている。一方、第一カバー体１６の各側板部３６の内面の前後２箇所には内側方に突出する掛合部４５が形成されている。第二カバー体１７を第一カバー体１６に取り付けるには、第二カバー体１７の各被掛合部４３を第一カバー体１６の対応する掛合部４５に掛合する。
【００４０】
第二カバー体１７の後端部中央には下方に突出する側面視略Ｌ字状の掛止部４６が形成されている。また、図３に示すようにステー２２の壁掛部３３の左右方向中央部には掛孔４７が形成されている。前記第二カバー体１７を第一カバー体１６に取付けた状態では、第二カバー体１７の掛止部４６の先端部がステー２２の掛孔４７の上縁部に掛止される。
【００４１】
このように第二カバー体１７を第一カバー体１６に取付けた状態では、図１３等に示すように第二カバー体１７の前縁部下面が水栓本体１９の挟込部２５の後端部の上面に当接して重ねられる。これにより、水栓本体１９の挟込部２５は、第一カバー体１６の連結部３７と第二カバー体１７とで上下に挟まれる。
【００４２】
水栓ユニット１３の組立は例えば以下のように行われる。まず、図５に示す水栓本体１９に継手２０，２１を接続して図６のようにし、この後、各継手２０，２１をステー２２に取付けて図７のようにする。次に、水栓本体１９にシャワー用配管７１を接続すると共に、シャワー用配管７１を配管支持部７７で支持して図９のようにする。次に第一カバー体１６をステー２２に取付けて図１０のようにし、この後、第二カバー体１７を第一カバー体１６及びステー２２に取り付ける。なお、これらの施工方法は前述した通りである。
【００４３】
水栓ユニット１３を壁２に取付けるにあたって、図１３のように壁２には掛具４８が左右に二個並べて設けられる。各掛具４８は筒状のスペーサーからなり、その外周面には周方向に亘って溝４９が形成されている。各掛具４８を壁２に取付けるには、ねじ５１を筒状の掛具４８の内側の孔に前方から通して壁２に固着する。
【００４４】
図３のようにステー２２の壁掛部３３の両側には壁掛孔５２が形成されている。各壁掛孔５２は下部よりも上部の孔幅を小さくしただるま孔からなる。また、各継手２０，２１の下部には壁固着部５３が形成されている。壁固着部５３は継手２０，２１の後端部から左右両側に向けて突出している。各壁固着部５３にはねじ５５（図１４参照）を挿通させるための孔５６が形成されている。
【００４５】
水栓ユニット１３は以下のように壁２に取付けられる。まず、ステー２２両側の壁掛孔５２の下部に、対応する掛具４８を挿入する。次に、水栓ユニット１３を壁２に沿って下方に移動して、各掛具４８を壁掛孔５２の上部に配置する。これにより、各掛具４８の溝４９に壁掛孔５２の上縁部が嵌まり、ステー２２の壁掛部３３が両掛具４８に引掛けられて、図１２のように水栓ユニット１３が壁２に仮止めされる。この後、各継手２０，２１の各壁固着部５３の孔５６に前方から通したねじ５５（図１４参照）を壁２に固着することで、水栓ユニット１３が壁２に本固定される。
【００４６】
水栓ユニット１３が壁２に取付けられた後、水栓ユニット１３の継手２０，２１の接続口部３０には、図１のように前記保持具７により仮保持された給水管３及び給湯管５の夫々の下流端部が接続される。
【００４７】
このように給水管３及び給湯管５を継手２０，２１に接続した後、保持具７に通した各ねじ１０が本締めされ、保持具７により給水管３及び給湯管５の夫々が壁２に本固定される。
【００４８】
この後、第三カバー体１８が、第一カバー体１６と保持具７の両者に脱着可能に取付けられ、カウンター６とこの上方の水栓ユニット１３の間に配置される。
【００４９】
第三カバー体１８は、図３に示すように前面部５７から両側面部５８及び下面部５９を後方に突出したものであり、上方及び後方に開口している。下面部５９の両側には、カウンター６から上方に引き出した給水管３及び給湯管５の夫々を通すための切欠６０が形成されている。
【００５０】
第三カバー体１８の各側面部５８の下部内面には上下に長い凹部からなる被嵌合部６１が形成されている。また、図１に示すように、保持具７の左右両端部には被嵌合部６１が嵌合される嵌合部６２が形成されている。
【００５１】
図２のように第三カバー体１８の前面部５７は、下部が鉛直であるのに対して上部が上方程前方に位置するよう傾斜している。図１のように前面部５７の上端部両側には後方に向けて突出する被差込部６３が形成されている。前面部５７の上端部中央には後方に向けて突出して先端に爪部６６を有する引掛部６５が形成されている。また、図１５のように第三カバー体１８の各側面部５８の上端部には、内側方に突出する背面視逆Ｌ字状の被挿入部６７が形成されている。
【００５２】
図１２に示すように、第一カバー体１６の連結部３７の後縁部には下方に突出する後縁部６８が形成されている。後縁部６８の両側端部には前方にリブを突出することで前側が開口した差込溝６９が形成されている。また、第一カバー体１６の各下縁部３８の後端部には、下方に曲片を突出して前方に開口する挿入溝７０が形成されている。各挿入溝７０は正面視逆Ｌ字状に形成されている。
【００５３】
第三カバー体１８を第一カバー体１６と保持具７に取り付けるには、図１のように第三カバー体１８を上側が前側に位置するよう傾斜させて、第三カバー体１８の凹状の各被嵌合部６１に保持具７の各嵌合部６２の先端部を嵌め込む。続いて、第三カバー体１８の上部を前方に押し込んで、第三カバー体１８の各被差込部６３及び各被挿入部６７を、第一カバー体１６の対応する差込溝６９及び挿入溝７０に前方から差し込む。同時に図１５のように第三カバー体１８の引掛部６５を第一カバー体１６の後縁部６８の下方に差し入れる。
【００５４】
上記により、第三カバー体１８の各被嵌合部６１に保持具７の各嵌合部６２が嵌合して、第三カバー体１８の下部の前後方向の移動が規制される。また、第三カバー体１８の各被差込部６３及び各被挿入部６７が、第一カバー体１６の差込溝６９及び挿入溝７０に差し込まれて、第三カバー体１８が第一カバー体１６で支持される。また、第三カバー体１８の引掛部６５の爪部６６が第一カバー体１６の後縁部６８の後面に引掛かり、これにより第三カバー体１８の前方への移動が規制される。
【００５５】
このように第三カバー体１８を第一カバー体１６と保持具７に取り付けると、第三カバー体１８によって、継手２０，２１の夫々の下部、給水管３、給湯管５、及び保持具７が覆われる。すなわち、第一カバー体１６、第二カバー体１７、及び第三カバー体１８の三者で構成されたカバー１５全体では、前後方向において水栓本体１９と壁２の間に配置された、ステー２２、継手２０，２１、給水管３、給湯管５、掛具４８、及び保持具７の全てが覆い隠される。
【００５６】
カバー１５の上端部は水栓ユニット１３の第一カバー体１６及び第二カバー体１７で構成され、同部は前記第三カバー体１８よりも前方に突出する。
【００５７】
第三カバー体１８を第一カバー体１６と保持具７から取り外すことで、各継手２０，２１の下部、給水管３及び給湯管５等を露出させることができる。このため、継手２０，２１に設けられた止水栓の操作、ストレーナーの清掃、水漏れチェック等の点検作業を容易に行うことができる。
【００５８】
以上説明した本実施形態の水栓１は、ステー２２、複数のカバー体１６〜１８のうちのステー２２に取り付けられたカバー体１６，１７、及びステー２２に取り付けられた水栓本体１９を有する水栓ユニット１３が構成される。そして、水栓ユニット１３のステー２２に壁２に設けられた掛具４８に引掛け可能な壁掛部３３が形成されると共に、水栓ユニット１３に壁２に固着される壁固着部５３が設けられる。このため、水栓１の施工の際には、水栓ユニット１３の強度の高いステー２２に形成された壁掛部３３を壁２に設けられた掛具４８に引掛けて仮止めした状態で、水栓ユニット１３に設けられた壁固着部５３を壁２に固着することができる。また、カバー１５は、ステー２２を覆う第一カバー体１６及び第二カバー体１７とは別に、水栓ユニット１３に取付けられて壁固着部５３と水栓本体１９に水を供給する配管（給水管３及び給湯管５）を覆う第三カバー体１８を有している。このため、水栓ユニット１３を壁２に固着した後に配管３，５を水栓本体１９に接続し、この後、配管３，５を覆う第三カバー体１８を取り付けることができる。
【００５９】
すなわち、本実施形態の水栓１の施工方法は、まず水栓ユニット１３をステー２２に形成された壁掛部３３を壁２に設けられた掛具４８に引掛けることで仮止めし、次に、水栓ユニット１３に設けられた壁固着部５３を壁２に固着する。次に、水栓ユニット１３に配管３，５を接続し、この後、水栓ユニット１３に壁固着部５３及び配管３，５を覆う第三カバー体１８を取付けるものである。
【００６０】
従って、水栓ユニット１３の壁固着部５３を壁２に固着する際には水栓ユニット１３を手で保持する必要がなく、水栓ユニット１３を壁２に簡単に取り付けることができる。また、配管３，５を覆う第三カバー体１８で水栓ユニット１３の壁固着部５３を覆うことができ、別途、壁固着部５３を覆うためだけにカバー体を取付ける必要がない。このように本実施形態の水栓１は施工性に優れたものとなっている。
【００６１】
また、水栓ユニット１３は水栓本体１９に配管３，５を接続するための継手２０，２１を有し、ステー２２は継手２０，２１を介して水栓本体１９を保持するものである。このため、水栓本体１９、ステー２２、第一カバー体１６、及び第二カバー体１７を壁２に取付ける前に、継手２０，２１を水栓本体１９に接続すると共にステー２２に取り付けることができ、継手２０，２１の施工が容易になる。また、壁固着部５３を配管３，５が接続される継手２０，２１に設けることで、配管３，５を覆う第三カバー体１８で覆われる位置に壁固着部５３を配置できる。
【００６２】
なお、本実施形態の水栓１は湯水混合水栓であるが、水又は湯のみを吐出する水栓であってもよく、すなわち、この場合は水供給用の配管として給水管３又は給湯管５の一方のみが設けられることとなる。また、本実施形態のステー２２は継手２０，２１を介して水栓本体１９を保持するものであるが、ステー２２は水栓本体１９を直接保持するものであってもよい。また、前記水供給用の配管３，５は継手２０，２１を介さず直接水栓本体１９に接続されるものであってもよい。また、本実施形態ではカバー１５を第一〜第三カバー体１６〜１８で構成したが、２又は４以上のカバー体でカバーを構成してもよい。また、水栓ユニット１３において壁２に固着される壁固着部５３を継手２０，２１に設けたが、ステー２２等、その他の水栓ユニット１３を構成する部材に壁固着部５３を設けても構わない。また、第三カバー体１８は第一カバー体１６に取付けたが、水栓ユニット１３の第一カバー体１６以外の部材に取り付けても構わない。
【符号の説明】
【００６３】
２  壁
３  給水管
５  給湯管
１３  水栓ユニット
１５  カバー
１６  第一カバー体
１７  第二カバー体
１８  第三カバー体
１９  水栓本体
２０  継手
２１  継手
２２  ステー
３３  壁掛部
４８  掛具
５３  壁固着部
【図１】
2012072561.tif 000003
【図２】
2012072561.tif 000004
【図３】
2012072561.tif 000005
【図４】
2012072561.tif 000006
【図５】
2012072561.tif 000007
【図６】
2012072561.tif 000008
【図７】
2012072561.tif 000009
【図８】
2012072561.tif 000010
【図９】
2012072561.tif 000011
【図１０】
2012072561.tif 000012
【図１１】
2012072561.tif 000013
【図１２】
2012072561.tif 000014
【図１３】
2012072561.tif 000015
【図１４】
2012072561.tif 000016
【図１５】
2012072561.tif 000017